(57)【要約】【課題】テープ巻取部にスリットを形成することなく、巻き取ったカバーテープをまとまった状態で容易且つ確実に取り外すことができるようにする。【解決手段】テープフィーダのベース部に固定され、回転軸を中心に回転される固定側リール１４と、該固定側リールと一体的に回転する分離可能な脱着側リールとからなるテープ巻取リールにおいて、前記固定側リールのフランジ１４Ａと前記脱着側リールのフランジ１６Ａとの間のテープ巻取部が、軸方向途中の接合部１４Ｂ、１６Ｂで分離可能に接合された、固定側巻取部１４Ｃと脱着側巻取部１６Ｃとから形成され、前記固定側巻取部及び前記脱着側巻取部の各外周が、同一径の各接合部から、対応する各フランジに向かって角度θで漸増する径からなる円周面で形成されている。【選択図】図８
2010083641.tif 000002
【特許請求の範囲】
【請求項１】
テープフィーダのベース部に固定され、回転軸を中心に回転される固定側リールと、該固定側リールと一体的に回転する分離可能な脱着側リールとからなるテープ巻取リールにおいて、
前記固定側リールのフランジと前記脱着側リールのフランジとの間のテープ巻取部が、軸方向途中の接合部で分離可能に接合された、固定側巻取部と脱着側巻取部とから形成され、
前記固定側巻取部及び前記脱着側巻取部の各外周が、同一径の各接合部から、対応する各フランジに向かって漸増する径からなる円周面で形成されていることを特徴とするテープ巻取リール。
【請求項２】
前記固定側巻取部及び前記脱着側巻取部の少なくとも一方の外周には、軸方向に沿って複数のリブ部が所定の間隔を隔てて形成されていることを特徴とする請求項１に記載のテープ巻取リール。
【発明の詳細な説明】
【技術分野】
【０００１】
本発明は、テープ巻取リール、特にキャリアテープに封入された電子部品を所定位置に供給するテープフィーダにおいて、キャリアテープから引き剥がされたカバーテープを巻き取って回収する際に適用して好適なテープ巻取リールに関する。
【背景技術】
【０００２】
プリント基板等の基板上に電子部品を搭載する表面実装装置では、所定のピックアップ位置に電子部品を供給するために、いわゆるテープフィーダ（部品供給装置）が使用されている。
【０００３】
このようなテープフィーダでは、ベーステープのキャビティ内にチップ状の電子部品を収容するとともに、該電子部品をカバーテープで封入したキャリアテープを、間欠的に送り出すとともに、下流側の剥離位置でカバーテープを剥がしてピックアップ位置に電子部品を供給するようにしている。
【０００４】
このようにテープフィーダでは、電子部品を供給する際にキャリアテープから剥離したカバーテープを回収する必要があるが、そのために従来より回収用の巻取リールが用いられている。
【０００５】
このような巻取リールでは、回収したカバーテープを最終的には取り外して除去する必要があるが、そのためにカバーテープを巻き戻したのでは時間がかかる上に面倒である。
【０００６】
そこで、特許文献１では、カバーテープを簡単に取り外すことができる、図１７に示すような巻取リール１００を開示している。
【０００７】
この巻取リール１００では、巻取部１０９にスリット１１１を形成し、これよって巻取部１０９の一部が半径方向に変形可能にしてある。そして、ドライブホイール１０３を上記巻取リール１００に組み合せると、押上げ爪１０５によって巻取部１０９が半径方向外周側に押し上げられるようにし、リール１００をドライブホイール１０３から分離すると、押上げ爪１０５による押し上げが解除され、トップテープ（カバーテープ）の巻締め力によって巻取部１０９が半径方向中心側に変形することから、トップテープが容易に取り外すことができるようにしている。
【０００８】
このように、従来の巻取リール１００では、ロック開閉時に押上げ爪１０５により押し上げられる、樹脂性の巻取部１０９の半径方向の弾性変形を利用して、カバーテープの取り外しを容易にしている。
【０００９】
【特許文献１】特開平５−１８６１４５号公報
【発明の開示】
【発明が解決しようとする課題】
【００１０】
しかしながら、前記特許文献１に開示されている巻取リール１００には、巻取部１０９と巻き取られたテープとの関係を詳細に観察し検討した結果、押上げ爪１０５による押し上げを解除するためにロック開方向に回すと、スリット１１１にテープが入り込んで弾性変形ができなくなってしまうことからロックが解除しにくくなることが起こる上に、巻き取られているテープの束をまとまったままの状態で取り外すことができなくなるという問題があることが明らかになった。
【００１１】
本発明は、前記従来の問題点を解決するべくなされたもので、巻取部にスリットを形成することなく、巻き取ったカバーテープをまとまった束のままの状態で容易且つ確実に取り外すことができるテープ巻取リールを提供することを課題とする。
【課題を解決するための手段】
【００１２】
本発明は、テープフィーダのベース部に固定され、回転軸を中心に回転される固定側リールと、該固定側リールと一体的に回転する分離可能な脱着側リールとからなるテープ巻取リールにおいて、前記固定側リールのフランジと前記脱着側リールのフランジとの間のテープ巻取部が、軸方向途中の接合部で分離可能に接合された、固定側巻取部と脱着側巻取部とから形成され、前記固定側巻取部及び前記脱着側巻取部の各外周が、同一径の各接合部から、対応する各フランジに向かって漸増する径からなる円周面で形成されているようにしたことにより、前記課題を解決したものである。
【００１３】
本発明においては、前記固定側巻取部及び前記脱着側巻取部の少なくとも一方の外周には、軸方向に沿って複数のリブ部が所定の間隔を隔てて形成されているようにしてもよい。
【発明の効果】
【００１４】
本発明によれば、テープ巻取部を接合部から２つの巻取部に分離させるだけで、各巻取部には外側に向かって拡径する円周面が形成されているため、カバーテープ自体の半径方向の締付け力を利用して、該カバーテープを各巻取部から離脱させることが可能となることから、まとまった束のままの状態で容易且つ確実に取り外すことができる。
【発明を実施するための最良の形態】
【００１５】
以下、図面を参照して、本発明の実施の形態について詳細に説明する。
【００１６】
図１には、本発明に係る一実施形態のテープ巻取リール１０と、これが適用されるテープフィーダ１との関係の概要を示す。
【００１７】
本実施形態のテープ巻取リール１０は、図２、図３に拡大して示すように、テープフィーダ１のベース部１Ａに固定され、回転軸１２を中心に回転される固定側リール１４と、該固定側リール１４と組合せることにより一体的に回転する分離可能な脱着側リール１６とを備えている。
【００１８】
又、図４には、図３のように一体的に組合せてベース部１Ａに取付けた状態の側面図を、図５には、軸中心を通る図４のＷ−Ｗ断面図を、それぞれ示す。なお、図５中、符号１８は、ワンウェイクラッチである。
【００１９】
本実施形態のテープ巻取リール１０の特徴を説明するために、ベース部１Ａから取り外した状態を図６に、その正面図を図７に、図７の一点鎖線で囲んだ範囲を拡大した部分正面図を図８に、それぞれ示す。
【００２０】
本実施形態では、前記固定側リール１４のフランジ１４Ａと前記脱着側リール１６のフランジ１６Ａとの間のテープ巻取部が、図７では矢印Ｂで分離（分割）位置を示すように、軸方向途中（ここでは中間位置）の各接合部１４Ｂ、１６Ｂで分離可能に接合された固定側巻取部１４Ｃと脱着側巻取部１６Ｃとから形成されている。
【００２１】
又、前記固定側巻取部１４Ｃ及び脱着側巻取部１６Ｃの各外周が、各接合部１４Ｂ、１６Ｂでは同一径で、対応する外側の各フランジに向かって漸増する径からなる円周面で形成されている。図８には、円周面が、いずれも軸中心に対して傾斜角θの拡径端面で形成されている状態を示してある。
【００２２】
更に、本実施形態では、固定側巻取部１４Ｃの外周には、図９に示した固定側リール１４の一点鎖線の範囲を拡大した図１０にも示すように、軸方向に沿って複数のリブ部１４Ｄが所定の間隔を隔てて形成されている。
【００２３】
一方、脱着側巻取部１６Ｃの外周は、前記のようにフランジ１６Ａ方向には固定側巻取部１４Ｃと同様に拡径されているが、脱着側リール１６を示す図１１の一点鎖線の範囲を拡大した図１２に示すように、リブ部の無い平坦な円周面で形成されている。
【００２４】
次に、固定側リール１４に対する脱着側リール１６の着脱を容易に実現するためのロック機構について説明する。
【００２５】
図１３（Ａ）には脱着側リール１６の側面図を、同図（Ｂ）にはその右正面図を、同図（Ｃ）には（Ａ）のＸ−Ｘ位置の断面図をそれぞれ示す。
【００２６】
この脱着側リール１６には、前記回転軸１２を中心とする３箇所の対称位置に、接合部１６Ｂの接合端面より内側に、該端面に平行なロック爪２０とロックガイド２２が形成されている。
【００２７】
一方、図１４（Ａ）には、固定側リール１４の側面図を、同図（Ｂ）にはその右正面図を、同図（Ｃ）には（Ａ）のＹ−Ｙ位置の断面図をそれぞれ示す。
【００２８】
この固定側リール１４には、前記脱着側リール１６に組合せた場合に、そのロック爪２０とロックガイド２２にそれぞれ対応する位置関係で、逆方向に延びるロック爪２４、ロックガイド２６が、接合部１４Ｂの接合端面より外側に突出して形成されている。
【００２９】
そして、図１４（Ａ）の固定側リール１４に、図１３（Ａ）の状態の脱着側リール１６を、回転軸１２に中心が一致するように重ね合わせ、該脱着側リール１６を回転させることにより、図１５（Ａ）、（Ｂ）に両リールのロック前とロック後のロック爪とロックガイドの関係をそれぞれ示すように、容易且つ確実に両リール１４、１６を一体的に組合せることができる。
【００３０】
即ち、脱着側リール１６の装着時には、ロック方向に回転させると、脱着側ロックガイド２２が、固定側ロックガイド２６の内側面をスライドしながら、脱着側ロック爪２０が固定側ロック爪２４の凸部２４Ａを乗り越えた後に引っ掛かってロックされる構造になっている。
【００３１】
又、両ロックガイド２２、２６は、ロック時の脱着側リールのガイドの他に、軸方向の抜け止めとしても機能しており、又、３箇所に設けられているため、使用中にロック爪が１箇所破損した場合であっても、テープ巻取リールとして十分に機能するようになっている。
【００３２】
以上の構成からなる本実施形態のテープ巻取リールの作用を以下に説明する。
【００３３】
本実施形態のテープ巻取リール１０では、カバーテープが固定側フランジ１４Ａと脱着側フランジ１６Ａをガイドにしながら接合位置Ｂで分離可能な固定側巻取部１４Ｃと脱着側巻取部１６Ｃとからなるテープ巻取部に巻き取られる。
【００３４】
その際、初期段階で巻き取られたカバーテープの締付け力がテープ巻取部の中心軸に対して垂直に作用するが、固定側巻取部１４Ｃと脱着側巻取部１６Ｃはそれぞれ外側のフランジ１４Ａ、１６Ａに向かって角度θで拡径する方向に傾斜しているため、各巻取部１４Ｃ、１６Ｃに対してそれぞれ前記図８に併記したように外側に押し拡げようとする力Ｆがはたらく構造になっている。
【００３５】
従来のテープ巻取部は傾斜角度が０°（水平）であるため、テープの締付け力はテープ巻取部の外周の円周面に対して垂直に作用することになる。従って、カバーテープの巻き取りが完了した後、該テープを取り外そうとした場合、従来のテープ巻取リールでは、テープの取り外しが困難になる。
【００３６】
これに対して、本実施形態によれば、前述した如く前記図８に示した力Ｆにより脱着側リール１６の分離取り外しが容易である上に、固定側リール１４の巻取部１４Ｃの軸方向に角度θをもっているため、同様にこの力Ｆにより簡単に巻き付いているカバーテープを取り外すことが可能となる。
【００３７】
更に、本実施形態では、脱着側巻取部１６Ｃの周囲は単純な円周面であるのに対し、前記図１０に示したように、固定側巻取部１４Ｃの周囲には脱着側巻取部１６Ｃと同径の円周面に複数のリブ部１４Ｄが所定の間隔で形成された形状になっている。そのため、図１６に最初のカバーテープＴが巻き付けられているイメージを拡大して示すように、リブ部１４Ｄに対してＴａ、Ｔｂで示す位置のカバーテープＴによる締付け力が集中するために、隣り合うリブ部１４Ｄ間に該テープＴが緊張した状態で巻き付けられることになる。
【００３８】
従って、リブ部１４Ｄ間の巻取部１４Ｃの周面部への締付け力は、有ったとしても極めて小さいために、摩擦力が小さいまま巻き取ることが可能となることから、所定の巻き取りが完了した後のカバーテープＴが巻かれたままの状態でも一段と容易に取り外すことが可能となる。
【００３９】
なお、前記実施形態では、固定側巻取部１４Ｃと脱着側巻取部１６Ｃの接合位置が軸方向の中間である場合を示したが、これに限定されず接合位置は任意である。
【００４０】
又、リブ部は、前述した固定側巻取部１４Ｃに限らず、脱着側巻取部１６Ｃに設けても、あるいは両方に設けてもよい。
【図面の簡単な説明】
【００４１】
【図１】本発明に係る一実施形態のテープ巻取リールが適用されたテープフィーダの概要を示す斜視図
【図２】テープフィーダのベース部に取り付けられた本実施形態の固定側リールを拡大して示す斜視図
【図３】図２の固定側リールに脱着側リールを組み合せて完成させたテープ巻取リールを示す斜視図
【図４】図３に示したテープ巻取リールの側面図
【図５】図４のＷ−Ｗ位置における断面図
【図６】テープフィーダから分離した状態の本実施形態のテープ巻取リールを示す斜視図
【図７】図６のテープ巻取リールの正面図
【図８】図７の一部を拡大した正面図
【図９】固定側リールを単独で示す斜視図
【図１０】図９に示した固定側リールの一部を拡大した斜視図
【図１１】脱着側リールを単独で示す斜視図
【図１２】図１１に示した脱着側リールの一部を拡大した斜視図
【図１３】脱着側リールのロック機構を示す側面図、正面図、要部断面図
【図１４】固定側リールのロック機構を示す側面図、正面図、要部断面図
【図１５】固定側リールと脱着側リールのロック前とロック後の各状態を示す要部断面図
【図１６】固定側巻取部に巻き付けられたカバーテープとリブ部の関係のイメージを拡大して示す説明図
【図１７】従来のテープ巻取リールの特徴を示す側面図
【符号の説明】
【００４２】
１…テープフィーダ
１Ａ…ベース部
１０…テープ巻取リール
１２…回転軸
１４…固定側リール
１４Ａ…固定側フランジ
１４Ｂ…固定側接合部
１４Ｃ…固定側巻取部
１４Ｄ…リブ部
１６…脱着側リール
１６Ａ…脱着側フランジ
１６Ｂ…脱着側接合部
１６Ｃ…脱着側巻取部
１８…ワンウェイクラッチ
２０…脱着側ロック爪
２２…脱着側ロックガイド
２４…固定側ロック爪
２６…固定側ロックガイド
【図１】
2010083641.tif 000003
【図２】
2010083641.tif 000004
【図３】
2010083641.tif 000005
【図４】
2010083641.tif 000006
【図５】
2010083641.tif 000007
【図６】
2010083641.tif 000008
【図７】
2010083641.tif 000009
【図８】
2010083641.tif 000010
【図９】
2010083641.tif 000011
【図１０】
2010083641.tif 000012
【図１１】
2010083641.tif 000013
【図１２】
2010083641.tif 000014
【図１３】
2010083641.tif 000015
【図１４】
2010083641.tif 000016
【図１５】
2010083641.tif 000017
【図１６】
2010083641.tif 000018
【図１７】
2010083641.tif 000019